(57)【要約】
　　【課題】　着脱が極めて容易で煩わしくなく、例えばアイアンを使用する時でもこれを外して使用し、使用後すぐに装着できるヘッドカバーを提供する。
　　【解決手段】　ゴルフクラブのヘッド４のフェース面４ａを覆うカバー部２を磁石入りの樹脂成形品で構成した。貼り付け方式となっているので、アイアンのように鉄その他の磁性体で形成されているクラブのフェース面４ａにはカバー部２が磁力で吸着する。しかも簡単に手で取り外すことができるため、着脱が極めて容易であると共にフェース面４ａを確実に保護することが可能となる。
【選択図】    　図１
0003100590.tif 000002
【実用新案登録請求の範囲】
【請求項１】
ゴルフクラブのヘッドのフェース面を覆うカバー部を磁石入りの樹脂成形品で構成したことを特徴とするゴルフクラブのヘッドカバー。
【請求項２】
カバー部が、柔軟で折り曲げ可能なものである請求項１記載のゴルフクラブのヘッドカバー。
【請求項３】
カバー部の下辺にヘッドのソールを覆う折り返し部が一体に形成されている請求項１又は２記載のゴルフクラブのヘッドカバー。
【請求項４】
対象とするゴルフクラブがアイアンクラブである請求項１乃至３のいずれかに記載のゴルフクラブのヘッドカバー。
【考案の詳細な説明】
【技術分野】
【０００１】
　この考案は、ゴルフクラブのヘッド、特にアイアンクラブのヘッドの保護に適したヘッドカバーに関する。
【背景技術】
【０００２】
　ゴルフクラブのヘッドを保護するためのカバーには、袋の口を紐でくくるようにした巾着式のものや、袋の口をジッパーや面状ファスナーで開閉する開閉式のものなどが用いられている。しかし、アイアンクラブ（以下、単にアイアンと記す）の場合は使用頻度が高く、しかも状況に応じて＃３〜＃９やＰ、Ｆ、Ｓの中から適切なものを選んで使用するため、これらを持ち替える度にカバーを着脱するのは煩わしいものであり、実際にはカバーをしないままでプレーを続けることが多い。このため、キャディバッグへの出し入れの際やキャディバッグに入れて移動している時などに、アイアンのフェース面が他のアイアンのフェース面に直接接触し、あるいは他の硬い物と接触してフェース面が傷つき、更には摩耗する結果などを招いており、ボールに傷を付けたり、飛球方向に影響を与えたりする原因にもなっていた。
【考案の開示】
【考案が解決しようとする課題】
【０００３】
　この考案は上記のような実情を考慮し、着脱が極めて容易で煩わしくなく、アイアンを使用する時に外して使用後すぐに装着できるヘッドカバーを得ることを課題としてなされたものである。
【課題を解決するための手段】
【０００４】
　上記の課題を達成するために、この考案のゴルフクラブのヘッドカバーは、ゴルフクラブのヘッドのフェース面を覆うカバー部を磁石入りの樹脂成形品で構成している。またこのカバー部の樹脂成形品は、エラストマー、ウレタン、ポリアミド、ポリプロピレン、ポリエチレン等の樹脂材料を用いて柔軟で折り曲げ可能なものとしてある。
【０００５】
　上記のカバー部の下辺には、ヘッドのソールを覆う折り曲げ片が一体に形成される。これにより、ソールも同時に保護される。
【０００６】
　上述のような構成で着脱が容易であるので、使用頻度が高く、頻繁に持ち替えることの多いアイアンのヘッドカバーとして使用しても、面倒がらずに使用する時にこれを外し、使用後すぐに装着することが容易となる。
【考案の効果】
【０００７】
　この考案のゴルフクラブのヘッドカバーは、フェース面を覆うカバー部を磁石入りの樹脂成形品で構成した貼り付け方式となっているので、アイアンのように鉄その他の磁性体で形成されているクラブのフェース面にはカバー部が磁力で吸着する。しかも簡単に手で取り外すことができるため、着脱が極めて容易であると共にフェース面を確実に保護することが可能となる。また、カバー部が樹脂製であって柔軟で折り曲げ可能なものでは耐久性があり、取り外した時には折り曲げて着衣のポケットなどに入れるなどの方法で確実に保管できるので、プレーの邪魔になったり、紛失したりすることが防止される。
【０００８】
　また、カバー部の下辺に折り曲げ片を形成したものでは、ソールが保護されるだけでなく、この折り返し部がフェース面にカバー部を吸着させる時の位置決めとなり、また取り外す時の手がかりとして利用できるので、着脱が容易となる。
【０００９】
　このヘッドカバーをアイアンに使用すれば、着脱が容易であるため使用頻度の高いアイアンであっても装着率を高めることができ、フェース面の傷付きや摩耗を防止し、フェース面の平面度を維持してボールに傷を付けたり、飛球方向に悪影響を与えたりすることがなくなる。
【考案を実施するための最良の形態】
【００１０】
　この考案のヘッドカバーは、フェース面が磁性体であればどのゴルフクラブのヘッドにも使用できるが、前述のように使用頻度の高いアイアン用として特に適している。以下、この考案をアイアンのヘッドカバーに実施した形態を説明する。
【実施例】
【００１１】
　図１はこの考案のヘッドカバーの正面図、図２は側面図、図３は背面図であり、図において、１はヘッドカバー、２はそのカバー部、３は折り曲げ片、４はアイアンのヘッドである。
【００１２】
　カバー部２は、柔軟で折り曲げ可能な成形品となる樹脂材料、例えばエラストマー、ウレタン、ポリアミド、ポリプロピレン、ポリエチレン等の材料に鉄粉を混入して所定の形状に成形し、成形後に鉄粉を磁化させて磁石入りとしたものである。その形状は対象となるヘッド４のフェース面４ａに対応した輪郭を備えた板状のものであり、カバー部２の吸着面２ａはフェース面４ａに密着するように平面状となっている。カバー部２の下辺にはヘッド４のソール４ｂを覆う折り曲げ片３が一体に形成されているが、この折り曲げ片３は必ずしも磁石入りでなくてもよい。
【００１３】
　この例のヘッドカバー１は上述のような構成であり、折り曲げ片３をヘッド４のソール４ｂに当てながらカバー部２の吸着面２ａをヘッド４のフェース面４ａに密着させると、吸着面２ａがヘッド４のフェース面４ａに磁石の力によって吸着し、図１あるいは図２のようにフェース面４ａに装着された状態となる。この装着の操作は極めて容易であり、フェース面４ａはその主要部がカバー部２により覆われて他物との接触から保護される。
【００１４】
　この状態において磁石による吸着力に抗してカバー部２をフェース面４ａから引き剥がすと、ヘッドカバー１はヘッド４から取り外されて、このアイアンを使用できる状態となる。吸着面と被吸着面が共に平面状の場合には、吸着力が強いと引き剥がしが困難になる場合があり得るが、この実施例では折り曲げ片３が形成してあるので、これを手がかりとして引き剥がす方向に折り曲げ片３を押せばよく、容易に取り外すことができる。取り外したヘッドカバー１は、例えば折り曲げて着衣のポケットなどに入れておいたり、使用しない他のゴルフクラブのヘッドに仮に吸着させておけばよく、プレーの邪魔になったり紛失したりすることはない。また、使用後すぐにフェース面４ａに再装着することができ、この再装着の操作も極めて容易である。
【００１５】
　なお、カバー部２は必ずしもフェース面４ａの全体を覆う大きさでなくてもよく、図１に例示したようにフェース面４ａの主要部を覆うことができればよいので、同一形状のヘッドカバー１をサイズの異なるフェース面４ａに共用することができる。また、カバー部２と折り曲げ片３の厚みは例えば２．５mm程度以上に選定される。カバー部２の前面、すなわち吸着面２ａとは反対側の面は平面状でなくてもよく、例えば図のように緩やかな膨らみを持たせ、あるいは凹凸などで適当な模様や文字５を表示することができる。
【００１６】
　上記の例では、樹脂材料に鉄粉を混入して成形した後に鉄粉を磁化させて磁石入りとしているが、例えば、カバー部２と折り曲げ片３を樹脂材料のみで成形し、１個あるいは複数個の薄い板状の磁石を吸着面２ａに接着あるいは埋め込みで装着した構造とすることもできる。図３に鎖線で示した２ｂはこの板状の磁石を示している。
【図面の簡単な説明】
【００１７】
【図１】この考案の一実施例の正面図である。
【図２】同実施例の側面図である。
【図３】同実施例の背面図である。
【符号の説明】
【００１８】
　１　ヘッドカバー
　２　カバー部
　２ａ　吸着面
　３　折り曲げ片
　４　アイアンのヘッド
４ａ　フェース面
【図１】
0003100590.tif 000003
【図２】
0003100590.tif 000004
【図３】
0003100590.tif 000005